(57)【特許請求の範囲】
【請求項１】
ネットワークに接続され、所定の符号化ビットレートで情報源符号化されたデータを送信する送信装置と、前記データを受信し情報源復号化して再生する再生部を有する受信装置とを備え、前記データの送受信を所定数のコネクションを介して行う伝送装置であって、
前記送信装置から前記受信装置に前記データを伝送した際の伝送時間と前記再生部において前記データを再生した際の再生時間との比を示す伝送再生時間比と前記符号化ビットレートと前記コネクションの数との関連データを含むコネクション数関連情報を前記データの送信前に予め取得するコネクション数関連情報取得部と、前記符号化ビットレート及び前記コネクション数関連情報に基づいて前記コネクションの最適数を決定するコネクション最適数決定部とを備えたことを特徴とする伝送装置。
【請求項２】
ネットワークに接続され、所定の符号化ビットレートで情報源符号化されたデータを送信する送信装置と、前記データを受信し情報源復号化して再生する再生部を有する受信装置とを備え、前記データの送受信を所定数のコネクションを介して行う伝送装置であって、
情報源符号化された複数のデータのいずれかを選択して入力するデータ選択入力部と、前記送信装置から前記受信装置に前記データを伝送した際の伝送時間と前記再生部において前記データを再生した際の再生時間との比を示す伝送再生時間比と前記符号化ビットレートと前記コネクションの数との関連データを含むコネクション数関連情報を前記データの送信前に予め取得するコネクション数関連情報取得部と、前記データ選択入力部の選択状態及び前記コネクション数関連情報に基づいて前記コネクションの最適数を決定するコネクション最適数決定部を備えたことを特徴とする伝送装置。
【請求項３】
所定の符号化ビットレートで情報源符号化されたデータをネットワーク経由で受信し情報源復号化して再生する再生部を有する受信装置に、前記データを所定数のコネクションを介して送信する送信装置であって、
前記送信装置から前記受信装置に前記データを伝送した際の伝送時間と前記再生部において前記データを再生した際の再生時間との比を示す伝送再生時間比と前記符号化ビットレートと前記コネクションの数との関連データを含むコネクション数関連情報を前記データの送信前に予め取得するコネクション数関連情報取得部と、情報源符号化された前記データを入力して前記符号化ビットレートを検出するビットレート検出部と、検出した前記符号化ビットレートの情報及び取得した前記コネクション数関連情報に基づいて前記コネクションの最適数を決定するコネクション最適数決定部と、前記コネクションの最適数の情報を前記受信装置に送信する情報送信部と、前記最適数のコネクションを開設して前記データを前記受信装置に送信するデータ送信部とを備えたことを特徴とする送信装置。
【請求項４】
所定の符号化ビットレートで情報源符号化されたデータをネットワーク経由で受信し情報源復号化して再生する再生部を有する受信装置に、前記データを所定数のコネクションを介して送信する送信装置であって、
前記送信装置から前記受信装置に前記データを伝送した際の伝送時間と前記再生部において前記データを再生した際の再生時間との比を示す伝送再生時間比と前記符号化ビットレートと前記コネクションの数との関連データを含むコネクション数関連情報を前記データの送信前に予め取得するコネクション数関連情報取得部と、情報源符号化された前記データを入力して前記符号化ビットレートを検出するビットレート検出部と、取得した前記コネクション数関連情報及び検出した前記符号化ビットレートの情報を前記受信装置に送信し、前記コネクションの最適数の情報を前記受信装置から受信する送信側情報送受信部と、前記最適数のコネクションを開設して前記データを前記受信装置に送信するデータ送信部とを備えたことを特徴とする送信装置。
【請求項５】
所定の符号化ビットレートで情報源符号化されたデータをネットワーク経由で受信し情報源復号化して再生する再生部を有する受信装置に、前記データを所定数のコネクションを介して送信する送信装置であって、
情報源符号化された前記データを入力して前記符号化ビットレートを検出するビットレート検出部と、前記送信装置から前記受信装置に前記データを伝送した際の伝送時間と前記再生部において前記データを再生した際の再生時間との比を示す伝送再生時間比と前記符号化ビットレートと前記コネクションの数との関連データを含むコネクション数関連情報を前記データの送信前に予め前記受信装置から受信し、前記コネクションの最適数の情報を前記受信装置に送信する送信側情報送受信部と、検出した前記符号化ビットレートの情報及び受信した前記コネクション数関連情報に基づいて前記コネクションの最適数を決定するコネクション最適数決定部と、前記最適数のコネクションを開設して前記データを前記受信装置に送信するデータ送信部とを備えたことを特徴とする送信装置。
【請求項６】
所定の符号化ビットレートで情報源符号化されたデータをネットワーク経由で受信し情報源復号化して再生する再生部を有する受信装置に、前記データを所定数のコネクションを介して送信する送信装置であって、
情報源符号化された前記データを入力して前記符号化ビットレートを検出するビットレート検出部と、このビットレート検出部によって検出された前記符号化ビットレートの情報を前記受信装置に送信し、前記送信装置から前記受信装置に前記データを伝送した際の伝送時間と前記再生部において前記データを再生した際の再生時間との比を示す伝送再生時間比と前記符号化ビットレートと前記コネクションの数との関連データを含むコネクション数関連情報に基づいて決定された前記コネクションの最適数の情報を前記データの送信前に予め前記受信装置から受信する送信側情報送受信部と、前記最適数のコネクションを開設して前記データを前記受信装置に送信するデータ送信部とを備えたことを特徴とする送信装置。
【請求項７】
請求項３に記載の送信装置から送信されたデータを受信する受信装置であって、
前記コネクションの最適数の情報を前記送信装置から受信する情報受信部と、前記最適数のコネクションを開設して前記データを前記送信装置から受信するデータ受信部と、受信した前記データを情報源復号化して再生する再生部とを備えたことを特徴とする受信装置。
【請求項８】
請求項４に記載の送信装置から送信された前記データを受信する受信装置であって、
前記コネクション数関連情報及び前記符号化ビットレートの情報を前記送信装置から受信し、前記コネクションの最適数の情報を前記送信装置に送信する受信側情報送受信部と、受信した前記コネクション数関連情報及び前記符号化ビットレートの情報に基づいて前記コネクションの最適数を決定するコネクション最適数決定部と、前記最適数のコネクションを開設して前記データを前記送信装置から受信するデータ受信部と、受信した前記データを情報源復号化して再生する再生部とを備えたことを特徴とする受信装置。
【請求項９】
請求項５に記載の送信装置から送信された前記データを受信する受信装置であって、
前記コネクション数関連情報を前記データの受信前に予め取得するコネクション数関連情報取得部と、前記コネクション数関連情報を前記送信装置に送信し、前記コネクションの最適数の情報を前記送信装置から受信する受信側情報送受信部と、前記最適数のコネクションを開設して前記データを前記送信装置から受信するデータ受信部と、受信した前記データを情報源復号化して再生する再生部とを備えたことを特徴とする受信装置。
【請求項１０】
請求項６に記載の送信装置から送信された前記データを受信する受信装置であって、
前記コネクション数関連情報を前記データの受信前に予め取得するコネクション数関連情報取得部と、前記符号化ビットレートの情報を前記送信装置から受信し、前記コネクションの最適数の情報を前記送信装置に送信する受信側情報送受信部と、受信した前記符号化ビットレートの情報及び取得した前記コネクション数関連情報に基づいて前記コネクションの最適数を決定するコネクション最適数決定部と、前記最適数のコネクションを開設して前記データを前記送信装置から受信するデータ受信部と、受信した前記データを情報源復号化して再生する再生部とを備えたことを特徴とする受信装置。
【発明の詳細な説明】
【技術分野】
【０００１】
本発明は、例えば映像や音声等のデータを伝送する伝送装置、送信装置及び受信装置に関する。
【背景技術】
【０００２】
従来、この種の伝送装置としては、映像や音声等のデータをＩＰ（Ｉｎｔｅｒｎｅｔ  Ｐｒｏｔｏｃｏｌ）ネットワーク経由で伝送するものが知られている。ＩＰネットワークにおけるトランスポートプロトコルには、ＵＤＰ（Ｕｓｅｒ  Ｄａｔａｇｒａｍ  Ｐｒｏｔｏｃｏｌ）及びＴＣＰ（Ｔｒａｎｓｍｉｓｓｉｏｎ  Ｃｏｎｔｒｏｌ  Ｐｒｏｔｏｃｏｌ）がある。
【０００３】
ＵＤＰによるデータの伝送では、送信側と受信側との間でデータの受信確認が無く、制御用の送信データ量が少なくなるので、ＴＣＰによるものよりも高速にデータを伝送できるというメリットがある。しかしながら、ＵＤＰによるデータの伝送では、伝送中にパケットが失われても特別な処理が行われないので、映像や音声等のデータを伝送する場合、ネットワークの混雑状況によりパケットが失われたときには、受信側において映像や音声等の劣化が起こることがある。
【０００４】
一方、ＴＣＰによるデータの伝送では、送信側と受信側との間でデータが届いたか否かを確認しながらデータを転送するようになっており、データを送信してから一定時間が経過しても受信側から送信側に確認応答がなかった場合は、データが失われたと判断されて同じデータが再送信されるので、データを確実に伝送することができるというメリットがある。反面、制御用の送信データ量が多くなると共に、確認応答を待つ必要があるのでデータ伝送速度がＵＤＰによるものよりも遅くなってしまうというデメリットがある。
【０００５】
この課題を解決する技術として、ＴＣＰにおけるコネクションを複数設定することによって伝送速度の高速化を図ることができることが知られている（例えば、特許文献１及び２参照）。特に、伝送距離が比較的長く、受信側からの確認応答信号が送信装置に返送されるまでの時間が遅延する場合には、回線輻輳によるパケット損失が無い場合でも、複数のコネクションを用いる効果が顕著に得られる。
【０００６】
【特許文献１】特開平０６−２７６２１１号公報
【特許文献２】特開平０７−１０７１１８号公報
【発明の開示】
【発明が解決しようとする課題】
【０００７】
しかしながら、複数のコネクションを用いる従来の伝送装置では、設定したコネクション数が適当でない場合には、複数のコネクションを介して送信した自らのパケットが回線輻輳を引き起こすので、回線輻輳によるパケット損失が発生するという課題があった。
【０００８】
また、従来の伝送装置では、ＩＰネットワークのような帯域保証の無い回線を使用する場合、回線輻輳によるパケット損失を補完するために蓄積伝送方式が用いられるが、この方式では、パケットの伝送時間が長くなってしまうので、パケットの到着遅延が許されない場合には適用できないという課題があった。
【０００９】
本発明は、従来の課題を解決するためになされたものであり、帯域保証の無い回線を使用する場合でも、従来のものよりも確実かつ高速にデータを伝送することができる伝送装置、送信装置及び受信装置を提供することを目的とする。
【課題を解決するための手段】
【００１０】
本発明の伝送装置は、ネットワークに接続され、所定の符号化ビットレートで情報源符号化されたデータを送信する送信装置と、前記データを受信し情報源復号化して再生する再生部を有する受信装置とを備え、前記データの送受信を所定数のコネクションを介して行う伝送装置であって、前記送信装置から前記受信装置に前記データを伝送した際の伝送時間と前記再生部において前記データを再生した際の再生時間との比を示す伝送再生時間比と前記符号化ビットレートと前記コネクションの数との関連データを含むコネクション数関連情報を前記データの送信前に予め取得するコネクション数関連情報取得部と、前記符号化ビットレート及び前記コネクション数関連情報に基づいて前記コネクションの最適数を決定するコネクション最適数決定部とを備えた構成を有している。
【００１１】
この構成により、本発明の伝送装置は、コネクション数関連情報取得部が取得したコネクション数関連情報に基づいてコネクションの最適数を決定してデータを伝送することができるので、帯域保証の無い回線を使用する場合でも、従来のものよりも確実かつ高速にデータを伝送することができる。
【００１２】
また、本発明の伝送装置は、ネットワークに接続され、所定の符号化ビットレートで情報源符号化されたデータを送信する送信装置と、前記データを受信し情報源復号化して再生する再生部を有する受信装置とを備え、前記データの送受信を所定数のコネクションを介して行う伝送装置であって、情報源符号化された複数のデータのいずれかを選択して入力するデータ選択入力部と、前記送信装置から前記受信装置に前記データを伝送した際の伝送時間と前記再生部において前記データを再生した際の再生時間との比を示す伝送再生時間比と前記符号化ビットレートと前記コネクションの数との関連データを含むコネクション数関連情報を前記データの送信前に予め取得するコネクション数関連情報取得部と、前記データ選択入力部の選択状態及び前記コネクション数関連情報に基づいて前記コネクションの最適数を決定するコネクション最適数決定部を備えた構成を有している。
【００１３】
この構成により、本発明の伝送装置は、コネクション最適数決定部が、データ選択入力部の選択状態及びコネクション数関連情報に基づいてコネクションの最適数を決定するので、コネクションを最適数で開設してデータを伝送することができ、帯域保証の無い回線を使用する場合でも、従来のものよりも確実かつ高速にデータを伝送することができる。
【００１４】
本発明の送信装置は、所定の符号化ビットレートで情報源符号化されたデータをネットワーク経由で受信し情報源復号化して再生する再生部を有する受信装置に、前記データを所定数のコネクションを介して送信する送信装置であって、前記送信装置から前記受信装置に前記データを伝送した際の伝送時間と前記再生部において前記データを再生した際の再生時間との比を示す伝送再生時間比と前記符号化ビットレートと前記コネクションの数との関連データを含むコネクション数関連情報を前記データの送信前に予め取得するコネクション数関連情報取得部と、情報源符号化された前記データを入力して前記符号化ビットレートを検出するビットレート検出部と、検出した前記符号化ビットレートの情報及び取得した前記コネクション数関連情報に基づいて前記コネクションの最適数を決定するコネクション最適数決定部と、前記コネクションの最適数の情報を前記受信装置に送信する情報送信部と、前記最適数のコネクションを開設して前記データを前記受信装置に送信するデータ送信部とを備えた構成を有している。
【００１５】
この構成により、本発明の送信装置は、コネクション最適数決定部が、ビットレート検出部によって検出された符号化ビットレート及びコネクション数関連情報取得部によって取得されたコネクション数関連情報に基づいてコネクションの最適数を決定するので、コネクションを最適数で開設してデータを伝送することができ、帯域保証の無い回線を使用する場合でも、従来のものよりも確実かつ高速にデータを伝送することができる。
【００１６】
また、本発明の送信装置は、所定の符号化ビットレートで情報源符号化されたデータをネットワーク経由で受信し情報源復号化して再生する再生部を有する受信装置に、前記データを所定数のコネクションを介して送信する送信装置であって、前記送信装置から前記受信装置に前記データを伝送した際の伝送時間と前記再生部において前記データを再生した際の再生時間との比を示す伝送再生時間比と前記符号化ビットレートと前記コネクションの数との関連データを含むコネクション数関連情報を前記データの送信前に予め取得するコネクション数関連情報取得部と、情報源符号化された前記データを入力して前記符号化ビットレートを検出するビットレート検出部と、取得した前記コネクション数関連情報及び検出した前記符号化ビットレートの情報を前記受信装置に送信し、前記コネクションの最適数の情報を前記受信装置から受信する送信側情報送受信部と、前記最適数のコネクションを開設して前記データを前記受信装置に送信するデータ送信部とを備えた構成を有している。
【００１７】
この構成により、本発明の送信装置は、取得したコネクション数関連情報及び検出した符号化ビットレートの情報を受信装置に送信し、コネクションの最適数の情報を受信装置から受信するので、コネクションを最適数で開設してデータを伝送することができ、帯域保証の無い回線を使用する場合でも、従来のものよりも確実かつ高速にデータを伝送することができる。
【００１８】
さらに、本発明の送信装置は、所定の符号化ビットレートで情報源符号化されたデータをネットワーク経由で受信し情報源復号化して再生する再生部を有する受信装置に、前記データを所定数のコネクションを介して送信する送信装置であって、情報源符号化された前記データを入力して前記符号化ビットレートを検出するビットレート検出部と、前記送信装置から前記受信装置に前記データを伝送した際の伝送時間と前記再生部において前記データを再生した際の再生時間との比を示す伝送再生時間比と前記符号化ビットレートと前記コネクションの数との関連データを含むコネクション数関連情報を前記データの送信前に予め前記受信装置から受信し、前記コネクションの最適数の情報を前記受信装置に送信する送信側情報送受信部と、検出した前記符号化ビットレートの情報及び受信した前記コネクション数関連情報に基づいて前記コネクションの最適数を決定するコネクション最適数決定部と、前記最適数のコネクションを開設して前記データを前記受信装置に送信するデータ送信部とを備えた構成を有している。
【００１９】
この構成により、本発明の送信装置は、コネクション最適数決定部が、ビットレート検出部によって検出された符号化ビットレート及び受信したコネクション数関連情報とに基づいてコネクションの最適数を決定するので、コネクションを最適数で開設してデータを伝送することができ、帯域保証の無い回線を使用する場合でも、従来のものよりも確実かつ高速にデータを伝送することができる。
【００２０】
さらに、本発明の送信装置は、所定の符号化ビットレートで情報源符号化されたデータをネットワーク経由で受信し情報源復号化して再生する再生部を有する受信装置に、前記データを所定数のコネクションを介して送信する送信装置であって、情報源符号化された前記データを入力して前記符号化ビットレートを検出するビットレート検出部と、このビットレート検出部によって検出された前記符号化ビットレートの情報を前記受信装置に送信し、前記送信装置から前記受信装置に前記データを伝送した際の伝送時間と前記再生部において前記データを再生した際の再生時間との比を示す伝送再生時間比と前記符号化ビットレートと前記コネクションの数との関連データを含むコネクション数関連情報に基づいて決定された前記コネクションの最適数の情報を前記データの送信前に予め前記受信装置から受信する送信側情報送受信部と、前記最適数のコネクションを開設して前記データを前記受信装置に送信するデータ送信部とを備えた構成を有している。
【００２１】
この構成により、本発明の送信装置は、ビットレート検出部によって検出された符号化ビットレートの情報を受信装置に送信し、コネクションの最適数の情報を受信装置から受信するので、コネクションを最適数で開設してデータを伝送することができ、帯域保証の無い回線を使用する場合でも、従来のものよりも確実かつ高速にデータを伝送することができる。
【００２２】
本発明の受信装置は、請求項３に記載の送信装置から送信されたデータを受信する受信装置であって、前記コネクションの最適数の情報を前記送信装置から受信する情報受信部と、前記最適数のコネクションを開設して前記データを前記送信装置から受信するデータ受信部と、受信した前記データを情報源復号化して再生する再生部とを備えた構成を有している。
【００２３】
この構成により、本発明の受信装置は、コネクションの最適数の情報を送信装置から受信するので、コネクションを最適数で開設してデータを伝送することができ、帯域保証の無い回線を使用する場合でも、従来のものよりも確実かつ高速にデータを伝送することができる。
【００２４】
また、本発明の受信装置は、請求項４に記載の送信装置から送信された前記データを受信する受信装置であって、前記コネクション数関連情報及び前記符号化ビットレートの情報を前記送信装置から受信し、前記コネクションの最適数の情報を前記送信装置に送信する受信側情報送受信部と、受信した前記コネクション数関連情報及び前記符号化ビットレートの情報に基づいて前記コネクションの最適数を決定するコネクション最適数決定部と、前記最適数のコネクションを開設して前記データを前記送信装置から受信するデータ受信部と、受信した前記データを情報源復号化して再生する再生部とを備えた構成を有している。
【００２５】
この構成により、本発明の受信装置は、コネクション最適数決定部が、受信したコネクション数関連情報及び符号化ビットレートの情報に基づいてコネクションの最適数を決定するので、コネクションを最適数で開設してデータを伝送することができ、帯域保証の無い回線を使用する場合でも、従来のものよりも確実かつ高速にデータを伝送することができる。
【００２６】
さらに、本発明の受信装置は、請求項５に記載の送信装置から送信された前記データを受信する受信装置であって、前記コネクション数関連情報を前記データの受信前に予め取得するコネクション数関連情報取得部と、前記コネクション数関連情報を前記送信装置に送信し、前記コネクションの最適数の情報を前記送信装置から受信する受信側情報送受信部と、前記最適数のコネクションを開設して前記データを前記送信装置から受信するデータ受信部と、受信した前記データを情報源復号化して再生する再生部とを備えた構成を有している。
【００２７】
この構成により、本発明の受信装置は、コネクション数関連情報を送信装置に送信し、コネクションの最適数の情報を送信装置から受信するので、コネクションを最適数で開設してデータを伝送することができ、帯域保証の無い回線を使用する場合でも、従来のものよりも確実かつ高速にデータを伝送することができる。
【００２８】
さらに、本発明の受信装置は、請求項６に記載の送信装置から送信された前記データを受信する受信装置であって、前記コネクション数関連情報を前記データの受信前に予め取得するコネクション数関連情報取得部と、前記符号化ビットレートの情報を前記送信装置から受信し、前記コネクションの最適数の情報を前記送信装置に送信する受信側情報送受信部と、受信した前記符号化ビットレートの情報及び取得した前記コネクション数関連情報に基づいて前記コネクションの最適数を決定するコネクション最適数決定部と、前記最適数のコネクションを開設して前記データを前記送信装置から受信するデータ受信部と、受信した前記データを情報源復号化して再生する再生部とを備えた構成を有している。
【００２９】
この構成により、本発明の受信装置は、コネクション最適数決定部が、受信した符号化ビットレートの情報及び取得したコネクション数関連情報に基づいてコネクションの最適数を決定するので、コネクションを最適数で開設してデータを伝送することができ、帯域保証の無い回線を使用する場合でも、従来のものよりも確実かつ高速にデータを伝送することができる。
【発明の効果】
【００３０】
本発明は、帯域保証の無い回線を使用する場合でも、従来のものよりも確実かつ高速にデータを伝送することができるという効果を有する伝送装置、送信装置及び受信装置を提供することができるものである。
【発明を実施するための最良の形態】
【００３１】
以下、本発明の実施の形態について図面を用いて説明する。なお、映像や音声等の素材データ（以下「映像素材データ」という。）を送受信する送信装置及び受信装置に本発明の伝送装置を適用した例を挙げて説明する。ここで、送信装置及び受信装置は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）によって通信するものとする。
【００３２】
（第１の実施の形態）
まず、本発明の第１の実施の形態に係る伝送装置の構成について説明する。
【００３３】
図１に示すように、本実施の形態に係る伝送装置１０は、映像素材データを所定数のコネクションを介して送信する送信装置１１０と、ＩＰネットワーク１１を介して映像素材データを受信する受信装置２１０とを備えている。
【００３４】
なお、図１においては、本実施の形態に係る伝送装置１０の構成を分かり易くするため、送信装置１１０及び受信装置２１０を１つずつで構成した例を示しているが、本発明はこれに限定されるものではなく、伝送装置１０は、送信装置１１０及び受信装置２１０がそれぞれ１つ以上で構成されるものである。また、送信装置１１０が、映像素材データを含むトランスポートストリーム（以下「ＴＳ」という。）を入力するものとして以下説明する。
【００３５】
送信装置１１０は、ＴＳを認識する入力信号認識部１１１と、映像素材データを記憶する記憶部１１２と、映像素材データのパケットを伝送する伝送部１１３と、符号化ビットレートとコネクションの数との関連データを含むコネクション数関連情報を取得するコネクション数関連情報取得部１１４と、符号化ビットレート及びコネクション数関連情報に基づいてコネクションの最適数を決定するコネクション最適数決定部１１５と、装置全体の動作を制御する制御部１１６と、映像素材データ及び各種情報を伝送するバス１１７とを備えている。
【００３６】
入力信号認識部１１１は、例えばＭＰＥＧ（Ｍｏｖｉｎｇ  Ｐｉｃｔｕｒｅ  Ｅｘｐｅｒｔｓ  Ｇｒｏｕｐ）−２の規格に準拠して情報源符号化されたＴＳを入力し、入力したＴＳをバス１１７経由で記憶部１１２に出力するようになっている。また、入力信号認識部１１１は、例えば単時間当たりに入力されるＴＳのヘッダ数をカウントすることによって、ＴＳの符号化ビットレートを検出するようになっている。また、入力信号認識部１１１は、ＴＳに含まれる映像素材データのタイトル情報、日付情報等の付属情報も抽出するようになっている。なお、入力信号認識部１１１は、本発明のビットレート検出部を構成している。
【００３７】
記憶部１１２は、例えばハードディスクドライブで構成され、入力信号認識部１１１から出力されるＴＳデータを複数に分割して取り込み、記憶するようになっている。例えば、記憶部１１２は、ＴＳデータを１秒毎に分割して、入力された順序でファイル名を１、２、・・・ｎとして記憶するようになっている。記憶部１１２に記憶されたＴＳデータは、例えば図２に示すように構成される。すなわち、ユニークな名前が付されたディレクトリの下に、１秒毎に分割された映像素材のファイル群（ファイル１、２、３、・・・）と、インフォメーションファイルとが１つの映像素材データとして記憶される。ここで、インフォメーションファイルは、ＴＳの符号化ビットレートの情報、映像素材のタイトル情報等を含んでいる。
【００３８】
伝送部１１３は、記憶部１１２に記憶された映像素材データを読み出し、ＴＣＰ／ＩＰに基づいてパケット化し、パケット化した映像素材データを所定数のコネクションを介してＩＰネットワーク１１に出力するようになっている。なお、伝送部１１３は、特許請求の範囲の請求項３に記載の情報送信部及びデータ送信部を構成している。
【００３９】
コネクション数関連情報取得部１１４は、例えば図３に示すような符号化ビットレートとコネクションの数との関連データを含むコネクション数関連情報を映像素材データの伝送前に取得するようになっている。
【００４０】
図３において、２種類の信号を対象として、コネクション数に対する伝送再生時間比及び伝送速度の関連データが示されている。ここで、例示した２種類の信号は、ＭＰＥＧ−２で圧縮符号化されたものであり、２２．３６８ＭｂｐｓのＨＤ  ＳＤＩ（Ｈｉｇｈ  Ｄｅｆｉｎｉｔｉｏｎ  Ｓｅｒｉａｌ  Ｄｉｇｉｔａｌ  Ｉｎｔｅｒｆａｃｅ）規格の信号と、２５ＭｂｐｓのＨＤＶ（Ｈｉｇｈ  Ｄｅｆｉｎｉｔｉｏｎ  Ｖｉｄｅｏ）規格の信号とである。また、伝送再生時間比とは、送信装置１１０から受信装置２１０に映像素材データを伝送した際の伝送時間Ｔｓと、受信装置２１０の再生部２１３において映像素材データを再生した際の再生時間Ｔｐとの比をいう。
【００４１】
図３に示すように、コネクション数を増加するに従って伝送速度の高速化が図れるが、コネクション数が１５を超えると自らが送信するパケットで伝送路を混雑させてしまい、伝送速度が低下していくことがわかる。したがって、単にコネクション数を増加するのではなく、最適数のコネクションで伝送を行うのが好ましい。
【００４２】
コネクションの最適数の目安としては、映像素材データの伝送時間Ｔｓと再生時間Ｔｐとの比が１：１となる値、すなわち伝送再生時間比Ｔｓ／Ｔｐ＝１とすることが好ましい。この場合、図３に示すように、コネクションの最適数は、ＨＤ  ＳＤＩ素材データでは「６」、ＨＤＶ素材データでは「９」である。これは、ＨＤＶ素材データのビットレート（２５Ｍｂｐｓ）の方が、ＨＤ  ＳＤＩ素材データのビットレート（２２．３６８Ｍｂｐｓ）よりも高いので、伝送再生時間比Ｔｓ／Ｔｐ＝１とするために、より多くのコネクションを必要とするからである。
【００４３】
以上のように、伝送再生時間比Ｔｓ／Ｔｐ＝１とすることにより、（１）受信装置２１０の再生部２１３において再生するデータの過不足が発生しないこと、（２）伝送速度が最大となるコネクション数に対してマージンが得られるので、複数の送信拠点から１つの受信拠点に同時にパケットの伝送を行った場合でも、伝送路での輻輳を回避し、伝送速度が大幅に低下することを防止することができること等の効果が得られ好ましい。なお、本発明は、伝送再生時間比Ｔｓ／Ｔｐが１と完全に一致することのみに限定されるものではなく、コネクションの最適数を設定する際の目安としてほぼ一致すればよく、また、適宜変更することもできる。
【００４４】
また、コネクション数関連情報取得部１１４は、取得したコネクション数関連情報をテーブルデータとして記憶部１１２に記憶するようになっている。このテーブルデータについて、図４を用いて説明する。図４は、本実施の形態に係る３つの送信装置１１０（１１０ａ、１１０ｂ及び１１０ｃ）と、２つの受信装置２１０（２１０ａ及び２１０ｂ）とで構成した伝送装置を示している。なお、図示を省略したが、送信装置１１０ａ、１１０ｂ及び１１０ｃは、それぞれ、コネクション数関連情報取得部１１４ａ、１１４ｂ及び１１４ｃを備えているものとする。
【００４５】
図４において、受信装置２１０ａは、送信装置１１０ａ、１１０ｂ及び１１０ｃから個々に又は同時に、互いに異なる映像素材データを受信し、受信装置２１０ｂは、送信装置１１０ｃからのみ映像素材データを受信するようになっている。送信装置１１０ａ、１１０ｂ及び１１０ｃは、それぞれ、テーブルデータ１２、１３及び１４を有している。これらのテーブルデータ１２、１３及び１４は、それぞれ、コネクション数関連情報取得部１１４ａ、１１４ｂ及び１１４ｃによって、映像素材データの伝送前に取得された、図３に示すようなコネクション数関連情報に基づいて決定されたものである。
【００４６】
図４に示すように、送信装置１１０ａは、受信装置２１０ａのみと通信するようになっているので、テーブルデータ１２は、送信装置１１０ａと受信装置２１０ａとの間において想定されるビットレートと、コネクションの最適数との関係を示すものとなっている。同様に、テーブルデータ１３は、送信装置１１０ｂと受信装置２１０ａとの間において想定されるビットレートと、コネクションの最適数との関係を示すものとなっている。また、送信装置１１０ｃは、受信装置２１０ａ及び２１０ｂと通信するようになっているので、テーブルデータ１４は、送信装置１１０ｃと受信装置２１０ａ及び２１０ｂとの間において想定されるビットレートと、コネクションの最適数との関係を示すものとなっている。
【００４７】
以上のように、コネクション数関連情報取得部１１４は、取得したコネクション数関連情報をテーブルデータとして記憶部１１２に記憶するようになっているので、本実施の形態に係る伝送装置１０は、複数の送信装置から１つの受信装置に映像素材データを伝送する場合でも、ＴＳの符号化ビットレートに基づいて受信装置毎にコネクションの最適数を取得することができる。
【００４８】
図１に戻り、本実施の形態に係る伝送装置１０の構成の説明を続ける。
【００４９】
コネクション最適数決定部１１５は、入力信号認識部１１１によって検出されたＴＳの符号化ビットレートの情報と、コネクション数関連情報取得部１１４によって生成されたテーブルデータとに基づいて、入力されたＴＳに含まれる映像素材データを伝送するためのコネクションの最適数を決定するようになっている。
【００５０】
制御部１１６は、例えばＣＰＵ（Ｃｅｎｔｒａｌ  Ｐｒｏｃｅｓｓｉｎｇ  Ｕｎｉｔ）、ＲＯＭ（Ｒｅａｄ−Ｏｎｌｙ  Ｍｅｍｏｒｙ）、ＲＡＭ（Ｒａｎｄｏｍ−Ａｃｃｅｓｓ  Ｍｅｍｏｒｙ）等を備え、所定のプログラムによって送信装置１１０全体の制御、例えば記憶部１１２に対する映像素材データの入出力や記憶量の監視等の処理を行うようになっている。
【００５１】
次に、受信装置２１０の構成について説明する。
【００５２】
受信装置２１０は、映像素材データのパケットを受信する伝送部２１１と、受信した映像素材データを記憶する記憶部２１２と、映像素材データを情報源復号化して再生する再生部２１３と、装置全体の動作を制御する制御部２１４と、映像素材データ及び各種情報を伝送するバス２１５とを備えている。
【００５３】
伝送部２１１は、ＩＰネットワーク１１からパケット化された映像素材データを所定数のコネクションを介して入力し、バス２１５を経由して記憶部２１２に記憶するようになっている。なお、伝送部２１１は、特許請求の範囲の請求項７に記載の情報受信部及びデータ受信部を構成している。
【００５４】
記憶部２１２は、例えばハードディスクドライブで構成され、伝送部２１１から出力されるＴＳデータを取り込み、記憶するようになっている。ここで、送信装置１１０の記憶部１１２と同様に、記憶部２１２は、受信したＴＳデータを複数に分割した状態で記憶するようになっている（図２参照）。
【００５５】
再生部２１３は、複数に分割されたＴＳデータを記憶部２１２から読み出して情報源復号化し、複数に分割される前の状態、すなわち、送信装置１１０に入力された順序でＴＳデータを再生するようになっている。
【００５６】
制御部２１４は、例えばＣＰＵ、ＲＯＭ、ＲＡＭ等を備え、所定のプログラムによって受信装置２１０全体の制御、例えば記憶部２１２に対する映像素材データの入出力や記憶量の監視等の処理を行うようになっている。
【００５７】
次に、本実施の形態に係る伝送装置１０の動作について説明する。
【００５８】
まず、送信装置１１０において、コネクション数関連情報取得部１１４によって、図３に示すようなコネクション数関連情報が映像素材データの伝送前に取得される。取得されたコネクション数関連情報は、図４に示すようなテーブルデータとして記憶部１１２に記憶される。ここで、テーブルデータは、例えば伝送再生時間比Ｔｓ／Ｔｐ＝１となるコネクション数と、符号化ビットレートとの対応データを含む。また、受信装置が複数で構成される場合のテーブルデータは、図４のテーブルデータ１４に示すように、上記対応データが受信装置毎に構成される。なお、コネクション数関連情報取得部１１４は、コネクション数関連情報を映像素材データの伝送前に毎回取得するものに限定されるものではなく、例えば前回の伝送時に用いたコネクション数関連情報を記憶部１１２から読み出して使用する構成としてもよい。
【００５９】
次いで、入力信号認識部１１１によって、例えばＭＰＥＧ−２の規格に準拠して情報源符号化されたＴＳが入力され、図２に示すように複数のデータに分割されて記憶部１１２に記憶される。このとき、入力信号認識部１１１によって、ＴＳの符号化ビットレートが検出され、また、ＴＳに含まれる映像素材データのタイトル情報、日付情報等の付属情報も抽出され、これらのデータは、インフォメーションファイルとして記憶部１１２に記憶される。
【００６０】
さらに、コネクション最適数決定部１１５によって、記憶部１１２に記憶されたインフォメーションファイルが参照されて入力されたＴＳの符号化ビットレートの情報が取得され、この符号化ビットレートの情報及びテーブルデータに基づいて、コネクションの最適数が決定される。
【００６１】
そして、映像素材データが記憶部１１２に一定量記憶されたことが制御部１１６によって確認されると、伝送部１１３によって、コネクションの最適数を示す情報と、インフォメーションファイルに含まれる情報とが受信装置２１０の伝送部２１１に出力される。ここで、伝送部１１３が、コネクションの最適数を示す情報のみを伝送部２１１に出力する構成としてもよい。
【００６２】
引き続き、受信装置２１０において、伝送部２１１によって、コネクションの最適数を示す情報と、インフォメーションファイルに含まれる情報とが受信される。
【００６３】
次いで、制御部２１４によって、伝送部１１３のコネクションが最適数で開設され、伝送部１１３と伝送部２１１との接続が最適数のコネクションで確立される。
【００６４】
続いて、伝送部１１３によって、ＴＣＰ／ＩＰに基づいて映像素材データがパケット化され、最適数で開設されたコネクションを介し、ＩＰネットワーク１１を経由して伝送部２１１に送信される。その結果、伝送部２１１は、最適数で開設されたコネクションを介し、パケット化された映像素材データの受信を開始する。
【００６５】
さらに、伝送部２１１によって、受信したパケットから映像素材データが取り出され、複数に分割された映像素材データが記憶部２１２に順次記憶される。
【００６６】
そして、映像素材データが記憶部２１２に一定量記憶されたことが制御部２１４によって確認されると、再生部２１３によって、記憶部２１２から映像素材データが順次読み出され、情報源符号化されて再生され、再生された信号が出力される。
【００６７】
以上のように、本実施の形態に係る伝送装置１０によれば、コネクション数関連情報取得部１１４は、映像素材データの伝送前にコネクション数関連情報を取得し、コネクション最適数決定部１１５は、コネクション数関連情報に基づいてコネクションの最適数を決定し、伝送部１１３及び伝送部２１１は、コネクションを最適数で開設して映像素材データを伝送する構成としたので、帯域保証の無い回線を使用する場合でも、従来のものよりも確実かつ高速にデータを伝送することができる。
【００６８】
なお、前述の実施の形態において、送信装置１１０と受信装置２１０とがＴＣＰ／ＩＰを用いて映像素材データを伝送する構成を例に挙げて説明したが、本発明はこれに限定されるものではなく、映像素材データの到着を確認しながら伝送するプロトコルを用いるものであれば同様の効果が得られる。
【００６９】
（第２の実施の形態）
まず、本発明の第２の実施の形態に係る伝送装置の構成について説明する。
【００７０】
図５に示すように、本実施の形態に係る伝送装置２０は、映像素材データを所定数のコネクションを介して送信する送信装置１２０と、ＩＰネットワーク２１を介して映像素材データを受信する受信装置２２０とを備えている。
【００７１】
送信装置１２０は、ＴＳを認識する入力信号認識部１２１と、映像素材データを記憶する記憶部１２２と、映像素材データのパケットを伝送する伝送部１２３と、符号化ビットレートとコネクションの数との関連データを含むコネクション数関連情報を取得するコネクション数関連情報取得部１２４と、装置全体の動作を制御する制御部１２５と、映像素材データ及び各種情報を伝送するバス１２６とを備えている。
【００７２】
受信装置２２０は、映像素材データのパケットを受信する伝送部２２１と、受信した映像素材データを記憶する記憶部２２２と、映像素材データを情報源復号化して再生する再生部２２３と、符号化ビットレート及びコネクション数関連情報に基づいてコネクションの最適数を決定するコネクション最適数決定部２２４と、装置全体の動作を制御する制御部２２５と、映像素材データ及び各種情報を伝送するバス２２６とを備えている。
【００７３】
図５に示すように、本実施の形態に係る伝送装置２０は、第１の実施の形態に係る送信装置１１０（図１参照）が備えたコネクション最適数決定部１１５を、受信装置２２０がコネクション最適数決定部２２４として備えたものである。したがって、第１の実施の形態に係る伝送装置１０と異なる構成を主に説明し、重複する説明は省略する。
【００７４】
伝送部１２３は、入力信号認識部１２１が検出した符号化ビットレートの情報及びコネクション数関連情報取得部１２４が取得したコネクション数関連情報を受信装置２２０に送信すると共に、受信装置２２０が決定したコネクションの最適数を示す情報を受信するようになっている。また、伝送部１２３は、記憶部１２２に記憶された映像素材データを読み出してパケット化し、パケット化した映像素材データを最適数のコネクションを開設して受信装置２２０に出力するようになっている。なお、伝送部１２３は、特許請求の範囲の請求項４に記載の送信側情報送受信部及びデータ送信部を構成している。
【００７５】
伝送部２２１は、符号化ビットレートの情報及びコネクション数関連情報を送信装置１２０から受信し、コネクション最適数決定部２２４が決定したコネクションの最適数を示す情報を送信装置１２０に送信するようになっている。また、伝送部２２１は、ＩＰネットワーク２１からパケット化された映像素材データを最適数のコネクションを開設して受信し、バス２２６を経由して記憶部２２２に記憶するようになっている。なお、伝送部２２１は、特許請求の範囲の請求項８に記載の受信側情報送受信部及びデータ受信部を構成している。
【００７６】
コネクション最適数決定部２２４は、伝送部２２１が受信したコネクション数関連情報及び符号化ビットレートの情報に基づいてコネクションの最適数を決定するようになっている。
【００７７】
本実施の形態に係る伝送装置２０は、前述のように構成されているので、以下のように動作する。
【００７８】
まず、送信装置１２０において、コネクション数関連情報取得部１２４によって、映像素材データの伝送前にコネクション数関連情報が取得され、取得されたコネクション数関連情報はテーブルデータとして、伝送部１２３によって受信装置２２０に送信される。
【００７９】
次いで、入力信号認識部１２１によって、所定の符号化ビットレートで情報源符号化されたＴＳが入力され、複数のデータに分割されて記憶部１２２に記憶される。また、ＴＳの符号化ビットレートが検出され、ＴＳに含まれる映像素材データのタイトル情報、日付情報等の付属情報も抽出されて、これらのデータは、インフォメーションファイルとして記憶部１２２に記憶される。
【００８０】
さらに、伝送部１２３によって、入力信号認識部１２１が検出した符号化ビットレートの情報が受信装置２２０に送信される。ここで、ビットレートの情報を受信装置２２０に送信する手法としては、インフォメーションファイルを送信する方法や、符号化ビットレートの情報のみを送信する方法等がある。
【００８１】
引き続き、受信装置２２０において、コネクション最適数決定部２２４によって、記憶部２２２に記憶されたコネクション数関連情報と、受信した符号化ビットレートの情報とに基づいて、コネクションの最適数が決定される。
【００８２】
したがって、受信装置２２０において決定したコネクションの最適数に基づいて、送信装置１２０の伝送部１２３と、受信装置２２０の伝送部２２１との接続を最適数のコネクションで開設することができるので、伝送装置２０は、映像素材データのパケットを最適数のコネクションで送信装置１２０から受信装置２２０に伝送することができる。
【００８３】
以上のように、本実施の形態に係る伝送装置２０によれば、送信装置１２０が備えるコネクション数関連情報取得部１２４は、映像素材データの伝送前にコネクション数関連情報を取得し、受信装置２２０が備えるコネクション最適数決定部２２４は、コネクション数関連情報及び受信した符号化ビットレートの情報に基づいてコネクションの最適数を決定し、伝送部１２３及び伝送部２２１は、コネクションを最適数で開設して映像素材データを伝送する構成としたので、帯域保証の無い回線を使用する場合でも、従来のものよりも確実かつ高速にデータを伝送することができる。
【００８４】
（第３の実施の形態）
まず、本発明の第３の実施の形態に係る伝送装置の構成について説明する。
【００８５】
図６に示すように、本実施の形態に係る伝送装置３０は、映像素材データを所定数のコネクションを介して送信する送信装置１３０と、ＩＰネットワーク３１を介して映像素材データを受信する受信装置２３０とを備えている。
【００８６】
送信装置１３０は、ＴＳを認識する入力信号認識部１３１と、映像素材データを記憶する記憶部１３２と、映像素材データのパケットを伝送する伝送部１３３と、符号化ビットレート及びコネクション数関連情報に基づいてコネクションの最適数を決定するコネクション最適数決定部１３４と、装置全体の動作を制御する制御部１３５と、映像素材データ及び各種情報を伝送するバス１３６とを備えている。
【００８７】
受信装置２３０は、映像素材データのパケットを受信する伝送部２３１と、受信した映像素材データを記憶する記憶部２３２と、映像素材データを情報源復号化して再生する再生部２３３と、符号化ビットレートとコネクションの数との関連データを含むコネクション数関連情報を取得するコネクション数関連情報取得部２３４と、装置全体の動作を制御する制御部２３５と、映像素材データ及び各種情報を伝送するバス２３６とを備えている。
【００８８】
図６に示すように、本実施の形態に係る伝送装置３０は、第１の実施の形態に係る送信装置１１０（図１参照）が備えたコネクション数関連情報取得部１１４を、受信装置２３０がコネクション数関連情報取得部２３４として備えたものである。したがって、第１の実施の形態に係る伝送装置１０と異なる構成を主に説明し、重複する説明は省略する。
【００８９】
伝送部１３３は、受信装置２３０のコネクション数関連情報取得部２３４が取得したコネクション数関連情報を受信するようになっている。また、伝送部１３３は、コネクション最適数決定部１３４が決定したコネクションの最適数を示す情報を受信装置２３０に送信するようになっている。また、伝送部１３３は、記憶部１３２に記憶された映像素材データを読み出してパケット化し、パケット化した映像素材データを最適数のコネクションを開設して受信装置２３０に出力するようになっている。なお、伝送部１１３は、特許請求の範囲の請求項５に記載の送信側情報送受信部及びデータ送信部を構成している。
【００９０】
伝送部２３１は、コネクション数関連情報取得部２３４が取得したコネクション数関連情報を送信装置１３０に送信し、コネクションの最適数を示す情報を送信装置１３０から受信するようになっている。また、伝送部２３１は、ＩＰネットワーク３１からパケット化された映像素材データを最適数のコネクションを開設して受信し、バス２３６を経由して記憶部２３２に記憶するようになっている。なお、伝送部２３１は、特許請求の範囲の請求項９に記載の受信側情報送受信部及びデータ受信部を構成している。
【００９１】
コネクション数関連情報取得部２３４は、符号化ビットレートとコネクションの数との関連データを含むコネクション数関連情報を映像素材データの伝送前に取得するようになっている。
【００９２】
本実施の形態に係る伝送装置３０は、前述のように構成されているので、以下のように動作する。
【００９３】
まず、受信装置２３０において、コネクション数関連情報取得部２３４によって、映像素材データの伝送前にコネクション数関連情報が取得され、取得されたコネクション数関連情報はテーブルデータとして、伝送部２３１によって送信装置１３０に送信され、送信装置１３０の記憶部１３２に記憶される。ここで、テーブルデータを記憶部２３２にも記憶する構成としてもよい。
【００９４】
次いで、入力信号認識部１３１によって、所定の符号化ビットレートで情報源符号化されたＴＳが入力され、複数のデータに分割されて記憶部１３２に記憶される。また、ＴＳの符号化ビットレートが検出され、ＴＳに含まれる映像素材データのタイトル情報、日付情報等の付属情報も抽出されて、これらのデータは、インフォメーションファイルとして記憶部１３２に記憶される。
【００９５】
さらに、コネクション最適数決定部１３４によって、記憶部１３２に記憶されたインフォメーションファイルが参照されて入力されたＴＳの符号化ビットレートの情報が取得され、この符号化ビットレートの情報及び受信したテーブルデータに基づいて、コネクションの最適数が決定される。
【００９６】
次いで、伝送部１３３によって、コネクションの最適数を示す情報が受信装置２３０に送信される。
【００９７】
したがって、送信装置１３０において決定したコネクションの最適数に基づいて、送信装置１３０の伝送部１３３と、受信装置２３０の伝送部２３１との接続を最適数のコネクションで開設することができるので、伝送装置３０は、映像素材データのパケットを最適数のコネクションで送信装置１３０から受信装置２３０に伝送することができる。
【００９８】
以上のように、本実施の形態に係る伝送装置３０によれば、受信装置２３０が備えるコネクション数関連情報取得部１１４は、映像素材データの伝送前にコネクション数関連情報を取得し、送信装置１３０が備えるコネクション最適数決定部１３４は、符号化ビットレートの情報及び受信したコネクション数関連情報に基づいてコネクションの最適数を決定し、伝送部１３３及び伝送部２３１は、コネクションを最適数で開設して映像素材データを伝送する構成としたので、帯域保証の無い回線を使用する場合でも、従来のものよりも確実かつ高速にデータを伝送することができる。
【００９９】
（第４の実施の形態）
まず、本発明の第４の実施の形態に係る伝送装置の構成について説明する。
【０１００】
図７に示すように、本実施の形態に係る伝送装置４０は、映像素材データを所定数のコネクションを介して送信する送信装置１４０と、ＩＰネットワーク４１を介して映像素材データを受信する受信装置２４０とを備えている。
【０１０１】
送信装置１４０は、ＴＳを認識する入力信号認識部１４１と、映像素材データを記憶する記憶部１４２と、映像素材データのパケットを伝送する伝送部１４３と、装置全体の動作を制御する制御部１４４と、映像素材データ及び各種情報を伝送するバス１４５とを備えている。
【０１０２】
受信装置２４０は、映像素材データのパケットを受信する伝送部２４１と、受信した映像素材データを記憶する記憶部２４２と、映像素材データを情報源復号化して再生する再生部２４３と、符号化ビットレートとコネクションの数との関連データを含むコネクション数関連情報を取得するコネクション数関連情報取得部２４４と、符号化ビットレート及びコネクション数関連情報に基づいてコネクションの最適数を決定するコネクション最適数決定部２４５と、装置全体の動作を制御する制御部２４６と、映像素材データ及び各種情報を伝送するバス２４７とを備えている。
【０１０３】
図７に示すように、本実施の形態に係る伝送装置４０は、第１の実施の形態に係る送信装置１１０（図１参照）が備えたコネクション数関連情報取得部１１４及びコネクション最適数決定部１１５を、受信装置２４０がコネクション数関連情報取得部２４４及びコネクション最適数決定部２４５として備えたものである。したがって、第１の実施の形態に係る伝送装置１０と異なる構成を主に説明し、重複する説明は省略する。
【０１０４】
伝送部１４３は、入力信号認識部１４１が検出した符号化ビットレートの情報を受信装置２４０に送信し、受信装置２４０のコネクション最適数決定部２４５が決定したコネクションの最適数に係る情報を受信するようになっている。また、伝送部１４３は、記憶部１４２に記憶された映像素材データを読み出してパケット化し、パケット化した映像素材データを最適数のコネクションを開設して受信装置２４０に出力するようになっている。なお、伝送部１４３は、特許請求の範囲の請求項６に記載の送信側情報送受信部及びデータ送信部を構成している。
【０１０５】
伝送部２４１は、送信装置１４０から符号化ビットレートの情報を受信し、コネクション最適数決定部２４５が決定したコネクションの最適数を示す情報を送信装置１４０に送信するようになっている。また、伝送部２４１は、ＩＰネットワーク４１からパケット化された映像素材データを最適数のコネクションを開設して受信し、バス２４７を経由して記憶部２４２に記憶するようになっている。なお、伝送部２４１は、特許請求の範囲の請求項１０に記載の受信側情報送受信部及びデータ受信部を構成している。
【０１０６】
コネクション数関連情報取得部２４４は、符号化ビットレートとコネクションの数との関連データを含むコネクション数関連情報を映像素材データの伝送前に取得するようになっている。
【０１０７】
コネクション最適数決定部２４５は、映像素材データの伝送前にコネクション数関連情報取得部２４４が取得したコネクション数関連情報と、受信した符号化ビットレートの情報とに基づいて、送信装置１４０に入力されたＴＳに含まれる映像素材データを伝送するためのコネクションの最適数を決定するようになっている。
【０１０８】
本実施の形態に係る伝送装置４０は、前述のように構成されているので、以下のように動作する。
【０１０９】
まず、受信装置２４０において、コネクション数関連情報取得部２４４によって、映像素材データの伝送前にコネクション数関連情報が取得される。取得されたコネクション数関連情報はテーブルデータとして、記憶部２４２に記憶される。ここで、テーブルデータを送信装置１４０に送信し、送信装置１４０の記憶部１４２に記憶する構成としてもよい。
【０１１０】
次いで、入力信号認識部１４１によって、所定の符号化ビットレートで情報源符号化されたＴＳが入力され、複数のデータに分割されて記憶部１４２に記憶される。また、ＴＳの符号化ビットレートが検出され、ＴＳに含まれる映像素材データのタイトル情報、日付情報等の付属情報も抽出されて、これらのデータは、インフォメーションファイルとして記憶部１４２に記憶される。
【０１１１】
さらに、伝送部１４３によって、入力信号認識部１４１が検出した符号化ビットレートの情報が受信装置２４０に送信される。ここで、ビットレートの情報を受信装置２４０に送信する手法としては、インフォメーションファイルを送信する方法や、符号化ビットレートの情報のみを送信する方法等がある。
【０１１２】
さらに、コネクション最適数決定部２４５によって、記憶部２４２に記憶されたテーブルデータ及び受信したビットレートの情報に基づいて、コネクションの最適数が決定される。
【０１１３】
次いで、伝送部２４１によって、コネクションの最適数を示す情報が送信装置１４０に送信される。
【０１１４】
したがって、受信装置２４０において決定したコネクションの最適数に基づいて、送信装置１４０の伝送部１４３と、受信装置２４０の伝送部２４１との接続を最適数のコネクションで開設することができるので、伝送装置４０は、映像素材データのパケットを最適数のコネクションで伝送することができる。
【０１１５】
以上のように、本実施の形態に係る伝送装置４０によれば、受信装置２４０において、コネクション数関連情報取得部２４４は、映像素材データの伝送前にコネクション数関連情報を取得し、コネクション最適数決定部２４５は、受信した符号化ビットレートの情報及びコネクション数関連情報に基づいてコネクションの最適数を決定し、伝送部１４３及び伝送部２４１は、コネクションを最適数で開設して映像素材データを伝送する構成としたので、帯域保証の無い回線を使用する場合でも、従来のものよりも確実かつ高速にデータを伝送することができる。
【０１１６】
（第５の実施の形態）
まず、本発明の第５の実施の形態に係る伝送装置の構成について説明する。
【０１１７】
図８に示すように、本実施の形態に係る伝送装置５０は、映像素材データを所定数のコネクションを介して送信する送信装置１５０と、ＩＰネットワーク５１を介して映像素材データを受信する受信装置２５０とを備えている。
【０１１８】
送信装置１５０は、ＴＳ１及びＴＳ２のいずれかを選択して入力するデータ選択入力部１５１と、映像素材データを記憶する記憶部１５２と、映像素材データのパケットを伝送する伝送部１５３と、符号化ビットレートとコネクションの数との関連データを含むコネクション数関連情報を取得するコネクション数関連情報取得部１５４と、データ選択入力部１５１の選択状態及びコネクション数関連情報に基づいてコネクションの最適数を決定するコネクション最適数決定部１５５と、装置全体の動作を制御する制御部１５６と、映像素材データ及び各種情報を伝送するバス１５７とを備えている。
【０１１９】
受信装置２５０は、映像素材データのパケットを受信する伝送部２５１と、映像素材データを記憶する記憶部２５２と、映像素材データを情報源復号化して再生する再生部２５３と、装置全体の動作を制御する制御部２５４と、映像素材データ及び各種情報を伝送するバス２５５とを備えている。
【０１２０】
図８に示すように、本実施の形態に係る伝送装置５０は、第１の実施の形態に係る送信装置１１０（図１参照）が備えた入力信号認識部１１１に代えてデータ選択入力部１５１を備えたものである。したがって、第１の実施の形態に係る伝送装置１０と異なる構成を主に説明し、重複する説明は省略する。
【０１２１】
データ選択入力部１５１は、所定の符号化ビットレートで情報源符号化されたＴＳ１及びＴＳ２のいずれかをスイッチの切り替えによって選択して入力し、入力したデータを複数に分割して記憶部１５２に保存するようになっている。ここで、ＴＳ１及びＴＳ２の符号化ビットレートは既知であり、スイッチの位置に対応してＴＳ１及びＴＳ２の符号化ビットレートが関連付けられているものとする。
【０１２２】
また、データ選択入力部１５１は、ＴＳ１又はＴＳ２に含まれる映像素材データのタイトル情報、日付情報等の付属情報も抽出するようになっている。なお、本実施の形態においては、入力するＴＳを２つとしているが、本発明はこれに限定されるものではなく、符号化ビットレートが既知の３つ以上のＴＳを入力する構成としてもよい。
【０１２３】
コネクション最適数決定部１５５は、データ選択入力部１５１の選択状態を示す情報を取得するようになっており、データ選択入力部１５１の選択状態と、コネクション数関連情報取得部１５４が取得したコネクション数関連情報とに基づいてコネクションの最適数を決定するようになっている。
【０１２４】
本実施の形態に係る伝送装置５０は、前述のように構成されているので、以下のように動作する。
【０１２５】
まず、送信装置１５０において、コネクション数関連情報取得部１５４によって、映像素材データの伝送前にコネクション数関連情報が取得される。取得されたコネクション数関連情報はテーブルデータとして、記憶部１５２に記憶される。ここで、テーブルデータを受信装置２５０に送信し、受信装置２５０の記憶部２５２に記憶する構成としてもよい。
【０１２６】
次いで、データ選択入力部１５１によって、ＴＳ１及びＴＳ２のいずれかが選択され入力される。また、データ選択入力部１５１によって、情報源符号化されたＴＳが入力され、複数のデータに分割されて記憶部１５２に記憶される。また、ＴＳの符号化ビットレートが検出され、ＴＳに含まれる映像素材データのタイトル情報、日付情報等の付属情報も抽出されて、これらのデータは、インフォメーションファイルとして記憶部１５２に記憶される。
【０１２７】
ここで、コネクション最適数決定部１５５によって、データ選択入力部１５１の選択状態を示す情報が取得され、記憶部１５２に記憶されたテーブルデータが参照されて、選択されたＴＳに適合するコネクションの最適数が決定される。
【０１２８】
具体的には、例えばＴＳ１が２５ＭｂｐｓのＨＤＶ規格の信号である場合に、データ選択入力部１５１がＴＳ１を選択したとき、コネクション最適数決定部１５５は、記憶部１５２に記憶されたテーブルデータを参照して、２５Ｍｂｐｓのビットレートに最適なコネクション数を決定する。
【０１２９】
したがって、コネクション最適数決定部１５５が決定したコネクションの最適数に基づいて、送信装置１５０の伝送部１５３と、受信装置２５０の伝送部２５１との接続を最適数のコネクションで開設することができるので、伝送装置５０は、映像素材データのパケットを最適数のコネクションで送信装置１５０から受信装置２５０に伝送することができる。
【０１３０】
以上のように、本実施の形態に係る伝送装置５０によれば、コネクション数関連情報取得部１５４は、映像素材データの伝送前にコネクション数関連情報を取得し、コネクション最適数決定部１５５は、データ選択入力部１５１の選択状態及びコネクション数関連情報に基づいてコネクションの最適数を決定し、伝送部１５３及び伝送部２５１は、コネクションを最適数で開設して映像素材データを伝送する構成としたので、帯域保証の無い回線を使用する場合でも、従来のものよりも確実かつ高速にデータを伝送することができる。
【０１３１】
なお、本発明の第１〜４の実施の形態で説明したように、本実施の形態に係る送信装置１５０が備えるコネクション数関連情報取得部１５４及びコネクション最適数決定部１５５の少なくとも一方を受信装置２５０に備える構成とすることもできる。
【産業上の利用可能性】
【０１３２】
以上のように、本発明に係る伝送装置、送信装置及び受信装置は、帯域保証の無い回線を使用する場合でも、従来のものよりも確実かつ高速にデータを伝送することができるという効果を有し、映像や音声等のデータをネットワーク経由で伝送する伝送装置、送信装置及び受信装置等として有用である。
【図面の簡単な説明】
【０１３３】
【図１】本発明の第１の実施の形態に係る伝送装置のブロック図
【図２】本発明の第１の実施の形態に係る記憶装置に記憶されるデータの構成例を示す図
【図３】本発明の第１の実施の形態に係る符号化ビットレートとコネクションの数との関連データを含むコネクション数関連情報の一例を示す図
【図４】本発明の第１の実施に係る３つの送信装置と、２つの受信装置とで構成した伝送装置及びテーブルデータの一例を示す図
【図５】本発明の第２の実施の形態に係る伝送装置のブロック図
【図６】本発明の第３の実施の形態に係る伝送装置のブロック図
【図７】本発明の第４の実施の形態に係る伝送装置のブロック図
【図８】本発明の第５の実施の形態に係る伝送装置のブロック図
【符号の説明】
【０１３４】
１０、２０、３０、４０、５０  伝送装置
１１、２１、３１、４１、５１  ＩＰネットワーク
１２、１３、１４  テーブルデータ
１１０（１１０ａ〜１１０ｃ）、１２０、１３０、１４０、１５０  送信装置
１１１、１２１、１３１、１４１  入力信号認識部（ビットレート検出部）
１１２、１２２、１３２、１４２、１５２  記憶部
１１３  伝送部（情報送信部、データ送信部）
１２３、１３３、１４３  伝送部（送信側情報送受信部、データ送信部）
１５３  伝送部
１１４（１１４ａ）、１２４、１５４、２３４、２４４  コネクション数関連情報取得部
１１５、１３４、１５５、２２４、２４５  コネクション最適数決定部
１１６、１２５、１３５、１４４、１５６  制御部
１１７、１２６、１３６、１４５、１５７  バス
１５１  データ選択入力部
２１０（２１０ａ、２１０ｂ）、２２０、２３０、２４０、２５０  受信装置
２１１  伝送部（情報受信部、データ受信部）
２２１、２３１、２４１  伝送部（受信側情報送受信部、データ受信部）
２５１  伝送部
２１２、２２２、２３２、２４２、２５２  記憶部
２１３、２２３、２３３、２４３、２５３  再生部
２１４、２２５、２３５、２４６、２５４  制御部
２１５、２２６、２３６、２４７、２５５  バス
【図１】
0004714074.tif 000002
【図２】
0004714074.tif 000003
【図３】
0004714074.tif 000004
【図４】
0004714074.tif 000005
【図５】
0004714074.tif 000006
【図６】
0004714074.tif 000007
【図７】
0004714074.tif 000008
【図８】
0004714074.tif 000009